(57)【特許請求の範囲】
【請求項１】
周壁部にコマセ放出用開口部を備えた筒状のコマセ籠本体と、
該筒状コマセ籠本体の一端に固定された錘と、
コマセ籠本体のコマセ放出用開口部を覆う閉鎖位置と該開口部を開放する開位置との間でコマセ籠本体に対して該本体の軸線方向に移動可能にコマセ籠本体に嵌装された第一の外筒部を一端側に備えると共にウキ本体部の一部及びウキの仕掛け側軸部が軸線方向に離脱可能に嵌挿される第二の外筒部を他端側に備え、コマセが放出されるべき水よりも平均密度が低い外側筒状体とを有するコマセ籠であって、
全体としては、浸漬されるべき水よりも平均密度が高く、
コマセ籠本体が両端で開口し、錘がコマセ籠本体の一端開口に連通した道糸挿通孔を有し、ウキの仕掛け側及びサオ側の軸部並びに本体部の全体を貫通する貫通孔に挿通された道糸が、コマセ籠に挿通されるように構成されているコマセ籠。
【請求項２】
コマセ籠本体は、該本体のうち、錘につながった端部とは反対の端部側の周壁に径方向外向きに突出した突起部を有し、第一の外筒部は、閉鎖位置と開位置との間でコマセ籠本体に対して軸線方向に移動可能なようにコマセ籠本体の突起部に遊嵌された軸線方向長孔を有する請求項１に記載のコマセ籠。
【請求項３】
第二の外筒部が、ウキの仕掛け側軸部を受容する小径の貫通孔部と、円柱状のウキ本体部を受容する大径凹部と、貫通孔部と大径凹部とをつなぐ円錐台状の凹部とを有する請求項１又は２に記載のコマセ籠。
【請求項４】
着水した際ウキに浮力を及ぼすべくウキ本体部の仕掛け側端面に水圧をかけるように水を導入する孔が、第二の外筒部に形成されている請求項１から３までのいずれか一つの項に記載のコマセ籠。
【請求項５】
第一の外筒部と第二の外筒部とが着脱可能に構成されている請求項１から４までのいずれか一つの項に記載のコマセ籠。
【請求項６】
第一の外筒部が閉鎖位置にある際コマセ籠本体の外周面と第一の外筒部の内周面との間にハリを収容するためのハリ収容室が形成されるように構成された請求項１から５までのいずれか一つの項に記載のコマセ籠。
【請求項７】
請求項１から６までのいずれか一つの項に記載のコマセ籠と、ウキ本体部及び該本体部から仕掛けの方に延びた仕掛け側軸部を備えたウキとを有しており、
コマセ籠の外側筒状体の第二の外筒部にウキの本体部の一部及びウキの仕掛け側軸部が離脱可能に軸線方向に挿入・収容されるように構成された釣り具。
【請求項８】
請求項１から６までのいずれか一つの項に記載のコマセ籠と、ウキ本体部及び該本体部から仕掛けの方に延びた仕掛け側軸部を備えると共にウキ本体部及び仕掛け側軸部を軸線方向に貫通した糸挿通用の貫通孔を備えたウキとを有しており、
コマセ籠の外側筒状体の第二の外筒部にウキの本体部の一部及びウキの仕掛け側軸部が離脱可能に軸線方向に挿入・収容されるように構成され、
ウキ及びコマセ籠に軸線方向に挿通される釣り糸と、釣り糸のうち浮きよりもサオ側に形成されたウキ止め及びコマセ籠よりも仕掛け側に形成された仕掛け止めを有する釣り具。
【発明の詳細な説明】
【０００１】
【発明の属する技術分野】
本発明は、コマセ籠及びこれを用いた釣り具に係り、特に、遠投に適したコマセ籠及びこれを用いた釣り具に係る。
【０００２】
【従来の技術】
寄せ餌としてコマセを用いたコマセ釣りで海岸や川岸などから離れたポイントに仕掛けを投げてウキ釣りをする場合、道糸を振って先端の仕掛けの近くにあるウキ及びコマセ籠を繰出される道糸と共に遠投する必要がある。この種のコマセ籠及び該コマセ籠を用いた釣り具の分野で、コマセ籠及びウキ（本体）を遠投し易くし且つポイント近くの水面に達するまでコマセがコマセ籠から飛び散るのを避けるようにするものとして、特開平１０−２９０６５２号公報に遠投用ウキとして提案されているものがある。
【０００３】
この公報に開示の遠投用ウキは、両端が実際上閉じた円筒状で周壁に複数のコマセ放出用開口を備えたコマセ籠本体と該コマセ籠本体の下端に取付けられた錘とを有し下端が仕掛けに接続され上端が道糸に接続されるコマセ籠と、コマセ籠の上端側からコマセ籠の外周に着脱可能に嵌装される円筒状の収納部と、該収納部の上端側において該収納部に下端で嵌挿・固着され上端に細いパイプが嵌挿・固着された円筒状のウキ本体とからなり、遠投時にはコマセ放出用開口からコマセを入れたコマセ籠にウキ本体と一体的な円筒状収納部をかぶせておき、ウキ本体と収納部とコマセ籠とからなるウキが着水した際円筒状収納部に固着されたウキ本体とコマセ籠との比重の差によってコマセ籠がウキ本体から離れて沈んでいくようにしたものである。
【０００４】
【発明が解決しようとする課題】
しかしながら、この「遠投用ウキ」すなわち釣り具では、ウキ本体の下端に下端が開口した円筒状のコマセ籠収納部が固着されているので、水面におけるウキの下向きの動きが下端開口の収納部によって妨げられるのを避け難く、魚による引きに対してウキの感度が極めて低くなってしまう。なお、収納部の円筒の径を小さくしようとすると、コマセ籠の外径を小さくする必要があり実際的でない。
【０００５】
また、この釣り具では、ウキ本体に固着された収容部からコマセ籠収納部が離脱して水中に落下し始めると直ちにコマセ籠の開口からコマセが放出され始めるから、コマセ籠がタナ上方の所定の深さ位置まで落ちる前にコマセが相当割合放出されてしまう虞もある。
【０００６】
なお、実開平７−３００６３号公報には、所望のポイントに確実に仕掛けを遠投し得るようにした釣り具の提案があるけれども、この釣り具では、遠投のためにコマセ籠を振ったときコマセ籠のコマセ放出用開口からコマセが飛び散る虞があるだけでなく、着水時にウキとコマセ籠とが確実に分離されない虞があったり、ウキとして特殊な形状のものを準備する必要があるなど、種々の問題があると考えられる。
【０００７】
本発明は前記した点に鑑みなされたものであって、その目的とするところは、遠投に際してコマセが飛び散る虞がないだけでなく、ウキを高感度の所望形状にし得るコマセ籠及び該コマセ籠を用いた釣り具を提供することにある。
【０００８】
【課題を解決するための手段】
本発明のコマセ籠は、前記目的を達成すべく、周壁部にコマセ放出用開口部を備えた筒状のコマセ籠本体と、該筒状コマセ籠本体の一端に固定された錘と、コマセ籠本体のコマセ放出用開口部を覆う閉鎖位置と該開口部を開放する開位置との間でコマセ籠本体に対して該本体の軸線方向に移動可能にコマセ籠本体に嵌装された第一の外筒部を一端側に備えると共にウキ本体部の一部及びウキの仕掛け側軸部が軸線方向に離脱可能に嵌挿される第二の外筒部を他端側に備え、コマセが放出されるべき水よりも平均密度が低い外側筒状体とを有し、全体としては、浸漬されるべき水よりも平均密度が高く、コマセ籠本体が両端で開口し、錘がコマセ籠本体の一端開口に連通した道糸挿通孔を有し、ウキの仕掛け側及びサオ側の軸部並びに本体部の全体を貫通する貫通孔に挿通された道糸が、コマセ籠に挿通されるように構成されている。
明細書における以下の記載において、この段落に記載の条件を満たさない部分については、文言上は、特許請求の範囲に記載の発明の範囲外である。
【０００９】
本発明のコマセ籠では、筒状のコマセ籠本体のコマセ溶出用開口部を覆う閉鎖位置と該開口部を開放する開位置との間でコマセ籠本体に対して該本体の軸線方向に移動可能にコマセ籠本体に嵌装された第一の外筒部を備えた外側筒状体を有するから、コマセを入れる時には第一の外筒部を開位置にし遠投時には第一の外筒部を閉鎖位置にしておくことにより遠投の際にもコマセが飛び散る虞がない。また、本発明のコマセ籠では、ウキ本体部の一部及びウキの仕掛け側軸部が軸線方向に離脱可能に嵌挿される第二の外筒部を外側筒状体がその他端側に備えるので、ウキは本体部よりも細くし得る仕掛け側（下端側）軸部により下方向移動に対する抵抗の少ない形状のままで第二の外筒部に収納され得る。更に、本発明のコマセ籠では、コマセ籠全体としては浸漬されるべき水よりも平均密度が高いけれども外側筒状体はコマセが放出されるべき（典型的には溶出すべき）水よりも平均密度が低いから、着水後コマセ籠が錘を下にして水面下に沈んでいく際又は所定深さまで沈んだ後、コマセ籠本体に対して外側筒状部が浮上しようとすることによりコマセ籠本体のコマセ放出用開口部が開かれる。従って、コマセを収容したコマセ籠本体がタナの上方の所定深さに達する前にコマセが該開口部から多量に放出されてしまう虞も少ない。
【００１０】
この明細書において、「コマセが溶出すべき水」とは、海釣りの場合には当該海の海水を指し、川や湖のような淡水釣りの場合には該淡水を指す。また「平均密度」とは、複合材料や発泡プラスチックのような場合には、嵩密度を指す。
【００１１】
第一の外筒部が、コマセ籠本体のコマセ放出用開口部を覆う閉鎖位置と該開口部を開放する開位置との間でコマセ籠本体の軸線方向に移動可能にコマセ籠本体に嵌装される限り、第一の外筒部のコマセ籠本体に対する移動範囲を規制ないし規定する手段はどのようなものでもよいけれども、好ましくは、コマセ籠本体は、錘につながった端部とは反対の端部側の（典型的には端部近傍の）周壁に径方向外向きに突出した突起部を有し、第一の外筒部は、閉鎖位置と開位置との間でコマセ籠本体に対して軸線方向に移動可能なようにコマセ籠本体の突起部が遊嵌された軸線方向に長い凹部（典型的には底のない凹部たる長孔）を有する。この場合、コマセ籠本体の外向き突起部が第一の外筒部の軸線方向に長い凹部（典型的には長孔）の各端壁部に係合する位置の間で第一の外筒部をコマセ籠本体に対して可動にし得る。
【００１２】
なお、例えば、第一の外筒部が閉鎖位置にある際該第一の外筒部の嵌装端と当接する係止端部を備えた係止用拡径部又は係止用大径筒状部をコマセ籠本体の錘側端部の外周に形成するか取付けておいてもよい。その場合、第一の外筒部の嵌装端がコマセ籠本体の係止端部に当接する際コマセ籠本体の突起は第一の外筒部の長孔の第二外筒部側端部に達していなくてもよい。また、この場合、コマセ籠本体の係止用拡径部又は係止用大径筒状部の径を第一の外筒部の当接部分の外径と同じかそれよりも大きくしておくことにより、第一の外筒部が閉鎖位置にある状態でコマセ籠が遠投され錘を前にしてコマセ籠が飛んでいく際、空気抵抗によって第一の筒状部が開放位置の方へ移動せしめられる虞が少なくなる。
【００１３】
筒状コマセ籠本体の周壁のコマセ放出用開口部は、コマセの塊が転がり出るような不測の事態を避け得る程度に小さく第一の外筒部が開放位置にある際開かれる限り、典型的には、溶出が容易なように大きく且つ多数あることが好ましい。なお、開口部の大きさや形状は一定であっても、異なる大きさや形状のものであってもよい。例えば、コマセをコマセ籠本体内のコマセ収容室に入れたり取出したりするための開口として特に大きい開口を一つ又は複数形成しておいてもよい。上述のように、第一の外筒部に長孔を形成する場合には、第一の外筒部が閉鎖位置にある際該第一の外筒部の長孔以外の壁部によってコマセ籠の周壁部の開口が全て閉じられ得るように、長孔と重なることのない位置にコマセ籠本体の周壁の開口を形成しておくことが好ましい。なお、所望ならば、第一の外筒部の筒状壁部を厚さ方向に貫通する（長）孔の代わりに第一の外筒部の筒状壁部の内面にコマセ籠本体の突起が係合する有底凹部（溝）を形成しておいてもよい。また、コマセ籠本体に突起を形成する代わりに第一の外筒部の内周面に径方向内向きの突起を形成し、該突起がコマセ籠の周壁に形成した長孔又は該周壁の外面に形成した溝（有底凹部）に係合するようにしてもよい。突起の突出方向に垂直な断面は点状ないし円形でも軸線方向に平行に長い線状ないし長円状でも、他の形状でもよい。
【００１４】
なお、エサとしてオキアミのような軟らかいものを用いた場合、遠投時に空気抵抗によってエサがハリから離脱する虞があるので、着水までエサが空気抵抗を受けないように、第一の外筒部が閉鎖位置にある際コマセ籠本体の外周面と第一の外筒部の内周面との間にハリを収容するためのハリ収容室が形成されるように構成しておいてもよい。この場合、コマセ籠本体の外周面に凹部を形成してハリ収容室を形成しても、第一外筒部の内周面に凹部を形成してハリ収容室を形成してもよい。このようなハリ収容室にハリを収容する場合、ハリ収容室から出たハリスが切れる虞を最小限にすべく、ハリスを這わせる溝を第一外筒部及びコマセ籠本体の関連部分に設けることが好ましい。
【００１５】
ウキの仕掛けに近い側の部分が収容される第二の外筒部は、ウキの大径の本体部のうち仕掛け側に近い部分を収容し得る限り、内周面がほぼ円筒状等の筒状体であってもよいけれども、好ましくは、ウキの仕掛け側軸部を受容する小径の貫通孔部と、大径の柱状（典型的には円柱状）のウキ本体部の仕掛け側の一部を受容する大径凹部とを有する。これによって、遠投の際にもウキが第二の外筒部から外れないように、ウキを安定に収容し得る。ここで、ウキ本体部の「一部」とは、着水後において第二の外筒部から軸線方向に容易に離脱可能な範囲の部分をいい、容易に離脱可能である限りウキ本体部の実際上全ての部分であってもよい。また、第二の外筒部のうちウキの仕掛け側軸部を受容する小径の貫通孔部を備えた部分を含む部分としてポリウレタンやポリスチロールの如きプラスチック材料の発泡体を用いることによって第二の外筒部に比較的大きな浮力を持たせ得る。この場合、ウキの仕掛け側軸部の下端部などによって傷つけられ易い上端面において発泡プラスチック材料を補強すべく、該上端面を硬質プラスチック材料からなる保護層で覆っておいてもよい。
【００１６】
第二の外筒部の小径の貫通孔部と大径凹部との境界は、径方向に延びた段差部になっていてもよいけれども、好ましくは、ウキの仕掛け側軸部が小径の貫通孔部に挿入されるのを容易にすべく、軸部の挿入を案内する円錐台状の凹部の形態であることが好ましい（上述の保護層を設ける場合円錐台状面に保護層を設ける）。なお、ウキ本体の仕掛け側端部が円錐台状に形成されている場合、円錐台状凹部は、ウキ本体の仕掛け側端部の円錐台形状とほぼ相補的な形状の円錐台状面になっていても、円錐の傾斜角等が異なったり、円錐台の頂面の径が異なっていてもよい。
【００１７】
特に、着水時にウキをコマセ籠から分離させる浮力をウキに速やかに与えるためには、ウキ本体の仕掛け側端部に水圧が速やかにかかることが好ましい。このためには、ウキの仕掛け側端部と第二外筒部の第二の外筒部の小径の貫通孔部及び大径凹部の境界部とは、その間に水が浸入し得る環状ないし円錐台状のスペースを有することが好ましく、相補的形状からある程度ずれていることが好ましい。この場合、更に、該スペースに水が速やかに浸入し得るように、第二外筒部の大径凹部又は円錐台状凹部に半径方向の水導入用の開口ないし孔が形成されていることが好ましい。この孔は、遠投時の空気抵抗によってウキがコマセ籠から分離されるような力を受けるのを最小限にするためには、軸線方向に直角に延びるか内周側ほどコマセ籠本体側（仕掛け側）に位置するように傾斜していることが好ましい。更に、仕掛けを引き上げる際に大径凹部が水に対する抵抗になるのを最小限にするためには、孔はある程度大きいことが好ましく、且つ軸線方向に直角な方向又はこれに近い方が好ましい。なお、上記スペースに水圧が速やかに導入されるようにするためには、他方では、空気や水が流出し易い孔が形成されていることが好ましい。この孔は、上記水導入用開口ないし孔をほぼ放射状に複数個設けておくことによって代替してもよい（複数の孔は軸線のまわりで対称でも対称でなくてもよい）けれども、例えば、円筒状凹部の内周面に放射状に延びる溝、及び大径凹部の円筒状内周面に軸線方向に沿って延びる溝を形成しておき、ウキ本体部の表面との間に溝に沿った水導出路を形成するようにしておくことが好ましい。
【００１８】
第一の外筒部と第二の外筒部とは一体的に形成されていてもよいけれども、二つの外筒部が果たす役割の差異に応じて夫々の外筒部を所望材料で且つ所望形状に形成し得るように、好ましくは、第一の外筒部と第二の外筒部とが着脱可能に構成されている。第一の外筒部と第二の外筒部との分離可能な結合はいかなる形態でもよいけれども、単なる軸線方向の引張りによって二つの外筒部が分離されることを避けるべく、周方向に回すことによって係合されたり係合が解除されるようにすることが好ましく、例えば中空筒状であることを要求される第一の外筒部のウキ側端部に第二の外筒部の隣接端部が嵌装されて結合（係合）されるように、第二の筒状部の端部近傍に端面で開口し且つ周方向に曲がった溝を設け第二の筒状部の端部近傍に突起を設ける。この場合、第二の筒状部の溝の周方向延在部の最奥部を係止用凹部に形成すべく、例えば、最奥部が第二の筒状部のウキ側端部に近づくように曲がっていることが好ましい。
【００１９】
仕掛け側の糸がコマセ籠の錘の下端に取付けられサオ（竿）側の道糸がコマセ籠本体のウキ側端部に取付けられるように構成されていてもよいけれども、切れ易くなった糸の交換などを容易に行い得るように、コマセ籠本体が両端で開口し、錘がコマセ籠本体の一端開口に連通した道糸挿通孔を有し、ウキの仕掛け側及びサオ側の軸部並びに本体部の全体を貫通する貫通孔に挿通された道糸が、コマセ籠に挿通されるように構成されていることが好ましい。
【００２０】
この場合、遠投前に、サオを立てるだけで、コマセ籠止めとしての糸の仕掛け側の大径部が錘の孔の下端開口に当たって糸が張ることに応じて、外側筒状部の第二の外筒部内にウキの仕掛け側軸部及びウキ本体部（のうち少なくとも仕掛け側端部に近い部分）が嵌挿され得る。
【００２１】
以上のようなコマセ籠及びウキの全体は、道糸や仕掛けの関連部分を含めて、本発明の釣り具を構成する。即ち、本発明の釣り具は、上述のようなコマセ籠と、ウキ本体部及び該本体部から仕掛けの方に延びた仕掛け側軸部を備えたウキとを有し、コマセ籠の外側筒状体の第二の外筒部にウキの本体部の一部及びウキの仕掛け側軸部が離脱可能に軸線方向に挿入・収容されるように構成される。
【００２２】
ウキは、十分な浮力と引きに対する感度を有する材料及び形状であればその材料及び形状は従来のどのようなものでもよい。ウキは、好ましくは、例えば、発泡ウレタンや発泡スチロールの如き発泡プラスチック材料で、下端側に軸線方向断面がほぼ流線形（全体として外に凸でほぼ円錐台状）の部分を備えた円柱状体からなるウキ本体部と、大径のウキ本体部を貫通する小径の軸部とを有する。この場合、ウキ本体の流線形の下端面を保護すべく硬質プラスチック材料製の保護層を備えていてもよい。なお、ウキ本体は、例えば、発泡プラスチック材料の代わりに、アルミニウムのような比較的比重の小さい金属や硬質プラスチック材料の中空体からなっていてもよい。
【００２３】
特に、糸が、ウキ及びコマセ籠を貫通する形態の場合、本発明の釣り具は、コマセ籠と、ウキ本体部及び該本体部から仕掛けの方に延びた仕掛け側軸部を備えると共にウキ本体部及び仕掛け側軸部を軸線方向に貫通した糸挿通用の貫通孔を備えたウキとを有し、コマセ籠の外側筒状体の第二の外筒部にウキの本体部の一部及びウキの仕掛け側軸部が離脱可能に軸線方向に挿入・収容されるように構成され、ウキ及びコマセ籠に軸線方向に挿通される釣り糸と、釣り糸のうち浮きよりもサオ側に形成されたウキ止め及びコマセ籠よりも仕掛け側に形成された仕掛け止めを有する。ウキ止め及び仕掛け止めは、夫々、例えば、所定位置で糸に固定された係止体と中心の貫通孔に糸が挿通され該係止体によって移動が規制されるビーズのようなものからなる。
【００２４】
【発明の実施の形態】
次に、本発明による好ましい一実施の形態の釣り具を、添付図面に示した好ましい一実施例に基づいて説明する。
【００２５】
【実施例】
図１から５に示した実施例において、釣り具１０は、コマセ籠２０とウキ５０とからなり、コマセ籠２０及びウキ５０には、道糸（ミチイト）８０、天びん８４及びハリス８６を含む釣り糸が貫通している。以下の例では、釣り具１０は、海釣り用であると想定するけれども、淡水釣り用であってもよい。
【００２６】
コマセ籠２０は、円筒状のコマセ籠本体２１と、コマセ籠本体２１の先端側すなわち仕掛け側（仕掛けに近い側）の端部２２においてコマセ籠本体２１に固定された錘２３と、コマセ籠本体２１のウキ側（ウキに近い側）の端部２４からコマセ籠本体２１に嵌装された外側筒状体２５とからなる。
【００２７】
錘２３は、コマセ籠２０の全体の平均嵩密度ないし比重が、釣り場の海水の密度ないし比重よりも高くなるように、実際上、コマセ籠２０に必要な重量を与えるもので、例えば鉛のような密度の高い金属からなるけれども、コマセ籠２０の嵩密度条件を満たし得る限り、セラミック系の材料のような他の材料製でも、複合材料製でもよい。錘２３は、後で詳述するように遠投の際図３のようにコマセ籠２０とウキ５０とが一体化物１００の形態で投げられたとき、先頭に位置し、空気抵抗の低い状態で飛んでいき易いように、先端２６側が細く且つ丸味をもった形状を有する。先端部２６は、例えば図２や３のように中心軸線Ｂを含む断面でみたとき、流線形又はそれに近い近い形状になるようにしておいても、図６の（ａ）及び（ｂ）に示したように円錐ないし円錐台形状をしていてもよい。錘２３の径方向の中央部には、コマセ籠２０の軸線Ｂの延在方向に沿って貫通孔２７が形成されている。貫通孔２７は、先端２６に近づくほど拡径された先端側孔部２７ａとコマセ籠本体２１側の端部すなわち基端に近づくほど拡径された基端側孔部２７ｂとからなり、軸線Ｂの延在方向の中間に絞り部２７ｃが形成されている。なお、貫通孔２７は、図６の（ａ）及び（ｂ）に示したように、単に一定の径の円柱状ないし円筒状の孔でもよい。
【００２８】
コマセ籠本体部２１は、周壁部２８にコマセ放出用開口部すなわちコマセ溶出又は抜出し用用開口部としての孔２９が複数個形成された両端開口の円筒状体３０と円筒状体３０のウキ側端部２４の近傍において周壁部２８の外周面から径方向外方に突設された突起部３１とからなる。孔２９のうちの少なくとも一つの孔２９ａは、他の孔２９よりも大きく形成されており、該孔２９ａを介してコマセＣが円筒状体３０内の空間ないし室３２に充填・取出ないし出し入れされる。孔２９ａ以外のコマセ放出用の孔２９の大きさ及び形状は、同一でも異なっていてもよいけれども、軸線Ｂの方向に平行な一の領域３３を除いて、コマセＣが均等に放出され得る（溶出ないし抜出し得る）ように、周壁部２８にほぼ一様に形成されていることが好ましい。領域３３は、外側筒状体２５が図３や図５の（ｂ）に示した閉鎖位置Ｄにある際、外側筒状体２５の長孔３４と重なり合う領域である。なお、円筒状体３０の内周面は錘２３の孔２７の基端側孔部２７ｂの基端にほぼ連続的に（ほぼ滑らかに）つながっている。コマセ籠本体部２１は、例えばプラスチック材料製であるけれども、アルミニウムのような軽い金属などの他の材料製でもよい。コマセ籠本体部２１の円筒状体３０と突起部３１とは一体的に成形されていても、円筒状体３０に該円筒状体３０とは別個に形成した突起部３１を固着するようにしてもよい。後者の場合、固着は外側筒状体２５の嵌装する前でもよいけれども、嵌装後に長孔３４に遊嵌されるように固着してもよい。突起部３１を円筒状部３０に固着するためには、例えば、接着剤を用いても、円筒状部３０に雌ネジ部を形成しておいてこの雌ネジ部に突起部３１を形成する雄ネジ部材を螺着するようにしてもよい。
【００２９】
錘２３の基端部とコマセ籠２１の仕掛け側端部２２との外周には、環状体３５が嵌装・固着されている。環状体３５は、錘２３とコマセ籠本体２１とを接着剤で固着するのを助けると共に、遠投の際外側筒状体２５を閉鎖位置Ｄからズラすような空気抵抗が外側筒状体２５にかかるのを最小限にすべく働く。なお、環状体３５は、外側筒状体２５が閉鎖位置Ｄにある際、該外側筒状体２５の先端部２５ａに当接して外側筒状体２５のそれ以上の先端方向Ｅへの移動をそのウキ側端部３５ａにおいて当接・禁止するようになっていてもよい。環状体３５は、コマセ籠本体部２１と一体的に成形ないし形成されていても、錘２３と一体的に鋳造ないし形成されていてもよい。錘２３とコマセ籠本体部２１との固着は、接着剤の代わりに、ピンやキーなどを用いて行うようになっていても、相互の螺着など着脱可能な方法で行うようになっていてもよい。
【００３０】
外側筒状体２５は、第一の外筒部としての仕掛け側ないし先端側外筒部（コマセ籠本体のカバー）３６と、この先端側外筒部３６に対して着脱可能な第二の外筒部としてのウキ側ないし基端側外筒部３７とからなる。先端側及び基端側外筒部３６，３７は、分離不可能な一体物からなっていてもよい。
【００３１】
コマセ籠本体部２１のカバーとして機能する先端側外筒部３６は、コマセ籠本体部２１の突起３１が遊嵌されるように軸線Ｂ方向に延在した長孔３４と、基端側外筒部３７の突起３８が係合されるように基端面３６ａで開口した切欠溝３９とを有する。コマセ籠本体部２１の突起３１に長孔３４で遊嵌・係合されるようにコマセ籠本体部２１の円筒状部３０に嵌装された先端側外筒部３６は、図１，２，４の（ａ），（ｂ），図５の（ａ）に示したように長孔３４の先端側端壁部３４ａが突起３１に当接する開放位置Ｆと、図３，図５の（ａ）に示したように長孔３４の基端側端壁部３４ｂが突起３１に当接する閉鎖位置Ｄとの間で、コマセ籠本体部２１に対してＥ，Ｇ方向に移動ないし摺動可能である。コマセ籠本体カバーたる先端側外筒部３６が閉鎖位置Ｄにある場合には、コマセ籠本体部２１のコマセ放出用開口部ないし孔２９は全て先端側外筒部３６の円筒状壁部によって閉じられる。一方、先端側外筒部３６が開放位置Ｆにある場合、コマセ籠本体部２１のコマセ放出用開口部ないし孔２９は開放される。
【００３２】
先端側外筒部３６の係合用切欠部３９は、図４の（ｂ）からわかるように、端面３６ａから軸線方向Ｂにほぼ平行に延びた縦方向溝部３９ａと、該溝部３９ａの最奥部からほぼ周方向に延びた横方向溝部３９ｂと、横方向溝部３９ｂの最奥部の係止用拡径溝部３９ｃとを有する。より詳しくは、縦方向溝部３９ａは、先端側外筒部３６の端面３６ａで開口し端面３６ａからＥ方向に離れるほど周方向にみてＨ方向に位置するように斜めに延び、横方向溝部３９ｂは縦方向溝部３９ａの最奥部から周方向にみてＪ方向に進むほどＧ方向に位置し、軸線Ｂ方向にみて端面３６ａに近接する。従って、外側筒状体２５の全体の浮力を与えると共にウキ５０の挿入用筒及びコマセ籠本体２１の蓋として機能する基端側外筒部３７は、その突起部３８が先端側外筒部３６の係合用切欠部３９内に縦方向溝部３９ａ及び横方向溝部３９ｂに沿って係止用拡径溝部３９ｃまで入るように、先端側外筒部３６に対して相対変位されることにより、先端側外筒部３６と一体的に組み立てられ、外側筒状部２５が形成される。両外筒部３６，３７が一旦組み付けられて外側筒状部２５が形成されると、拡径溝部３９ｃと横方向溝部３９ｂとの段差部、横方向溝部３９ｂのＥ方向の傾斜（図４の（ｂ）でみて）、及び縦方向溝部３９ａのＨ方向の傾斜が、全体として、両外筒部３６，３７間の係合が不測の外力によって解除される虞を最小限にしている。
【００３３】
先端側及び基端側外筒部３６，３７の結合ないし係合が不測の外力によって部分的に解除されてガタガタしたり完全に解除されて分離されたりする虞がない限り、係合用切欠ないし溝３９の形状は図示のものとは異なっていてもよく、また、二つの外筒部３６，３７の結合は溝と突起の代わりにネジなど他の形態でもよい。更に、先端側外筒部３６内に基端側外筒部３７を嵌挿する代わりに、基端側外筒部３７の仕掛け側端部の内径を先端側外筒部３６のウキ側端部の外径よりも大きくして、基端側外筒部３７に先端側外筒部３６を嵌挿するようにしてもよい。更に、二つの外筒部３６，３７が分離可能に結合される代わりに、一体的に固着されていてもよい。
【００３４】
ウキ側ないし基端側外筒部３７は、発泡ウレタンや発泡スチロールの如き発泡プラスチック材料のような比重の小さい材料からなる厚肉の筒状体４０と、該厚肉筒状体４０の中心の比較的細い孔４１に嵌挿・固着されたプラスチック製のパイプ４２と、厚肉筒状体４０の仕掛け側端部４０ａの外周に嵌着された硬質プラスチック製で係合用の環状体４３と、厚肉筒状体４０のウキ側端部４０ｂの外周に嵌着された硬質プラスチック製でウキ本体部の収容用の鍔ないし環状体４４とを有し、平均密度が、全体として、海水の密度よりも十分に小さい。
【００３５】
図２などに図示の例では、厚肉筒状体４０の仕掛け側端部４４ａの端面４５からパイプ４２の仕掛け側端部（先端側端部）４２ａがＥ方向に僅かに突出しているけれども、端部４２ａの端面は、端面４５と面一でも、端面４５よりもＧ方向に引っ込んでいてもよい。
【００３６】
厚肉筒状体４０の仕掛け側端部４０ａのまわりの係合用環状体４３の外周には、仕掛け側ないし先端側外筒部３６の切欠部３９に係合する突起３８が突設されている。図２などに図示の例では、係合用環状体４３の仕掛け側端部４３ａが厚肉筒状体４０の仕掛け側端部４４ａの端面４５からＥ方向に突出しているけれども、端部４２ａの端面は、端面４５と面一でも、場合によっては、端面４５よりもＧ方向に引っ込んでいてもよい。仕掛け側の環状体４３は、厚肉筒状体４０の端部４０ａを補強すると共に、係合用突起３８の突設を可能にしている。例えば、厚肉筒状体４０を硬質プラスチック材料などからなり中空の周壁部を備えた筒状体で形成するような場合には、筒状体４０と環状体４３とを同じ材料で一体的に成形してもよい。その場合、突起３８も一体成形してもよい。
【００３７】
厚肉筒状体４０のウキ側端部４０ｂは、ウキ５０の仕掛け側端部５１を受容すべく、該端部５１の表面５２と相補的形状のほぼ円錐台状で図２のような断面でみて凹状に湾曲した端面４６を有し、端面４６の径方向内縁部は、パイプ４２のウキ側端面４２ｂに滑らかにつながっている。ウキ収容用環状体４４は、厚肉筒状体４０のウキ側端部４０ｂからＧ方向に大きく突出して該突出部の内周面４７によってウキ５０の仕掛け側端部５１に近い領域を収容する大径凹部としての円筒状空間４８を形成している。ウキ側（基端側）の環状体４４は、また、厚肉筒状体４０の端部４０ｂを補強する働きをしている。例えば、前述のように、厚肉筒状体４０を硬質プラスチック材料からなり中空壁部を備えた筒状体の形態にするような場合には、筒状体４０と環状体４４とも同じ材料で一体的に成形してもよい。
【００３８】
基部側外筒部３７の環状体４３を先端側外筒部３６の基端側端部３６ｄに嵌挿しつつ外筒部３７の突起３８を外筒部３６の溝３９に拡径孔部３９ｃまで係入することによって二つの外筒部３６，３７を一体的に固定して、外側筒状体２５を形成する。この外側筒状体２５は、図１，２，４の（ａ），（ｂ），図５の（ａ）に示したように長孔３４の先端側端壁部３４ａが突起３１に当接する開放位置Ｆと、図３に示したように長孔３４の基端側端壁部３４ｂが突起３１に当接する閉鎖位置Ｄとの間で、コマセ籠本体部２１に対してＥ，Ｇ方向に移動ないし摺動可能である。
【００３９】
ウキ５０は、中心軸線Ｂにそって貫通孔５３を備えた円柱状のウキ本体部５４と、ウキ本体部５４の貫通孔５３に挿通された比較的硬質のプラスチック製の細いパイプないし円筒状軸体５５とを有する。
【００４０】
ウキ本体部５４の仕掛け側端部５１は、図２のような断面でみた場合僅かに外方に凸の流線形状になった円錐台状で、外側筒状体２５のウキ側端面４６と相補的な形状である。ウキ本体部５４のサオ側端部（サオに近い側の端部）５６には、蛍光ないし燐光を発し夜間でもウキの位置・動きを視認可能にする所謂「ケミホタル」といわれる棒状発光体５７を可撓性チューブ５８を介して取付けるための突起部５９が形成されている。なお、棒状発光体５７のサオ側端部近傍には、道糸を案内する案内孔６０を備えた補助カバー７９が取付けられている。
【００４１】
ウキ本体部５４は、発泡ウレタンや発泡スチロールの如き発泡プラスチック材料のような嵩密度の小さい材料で形成されている。なお、所望ならば、ウキ本体部５４の下端５１近傍をより嵩密度の高い中実なプラスチック材料などで形成しておいてもよい。また、ウキ本体部５４又はウキ５０の全体を中空の硬質プラスチック材料などで形成してもよい。この例では、ウキ本体部５４の両端部５１，５６以外の中央部分６１は、ほぼ円柱状であるけれども、円柱状部分が実際上ないような形（例えばほぼ卵形ないし回転楕円体のような形）でもよい。
【００４２】
ウキ５０の中央の細い円筒状軸体５５は、魚による引きに応じてウキ５０が水面で上下動するときその下向きの動き対する水の抵抗を最小限に抑えると共に、ウキ５０が水面に浮かぶときその姿勢を安定化させるのに役立つ。円筒状軸体５５の貫通孔６２には、道糸が挿通される。
【００４３】
遠投時には、ウキ５０の軸体５５のうち下部側の軸体部分５５ａが外側筒状体２５の基端側外筒部３７の中心のパイプないしチューブ４２の貫通孔内に挿入されると共に、ウキ本体部５４の円錐台状の下端部５１の円錐台状面５２が外側筒状体２５の相補的形状の端面４６に実際上当接するまでウキ本体部５４の下端部５１及び円柱状部６１の下端側部分６１ａが外側筒状体２５の後端側環状体４４によって形成された大径凹部としての室４８内に挿入される。この嵌挿によって嵌合部が摩擦係合し、ウキ５０は、外側筒状体２５からＧ方向に自在（自由）には抜けないように該外側筒状体２５によって軽く保持される。従って、外側筒状体２５のパイプ４２の内径及びウキ５０の軸体５５のうちウキ本体部５４よりも下側の軸体部分５５ａの外径の大きさはほぼ同程度で適度な摩擦力を与える大きさに選択される。この摩擦力を調整ないし選択するためには、図１，２等に示したように、軸体部５５ａに片面粘着テープ６３などを巻いて、該テープ６３の長さを調整・選択するようにしてもよい。同様に、外側筒状体２５の後端側環状体４４の内径及びウキ本体部５４の円柱状部分６１のうち下端側の部分６１ａの外径の大きさはほぼ同程度で適度な摩擦力を与える大きさに選択される。この摩擦力を調整ないし選択するためには、図１，２等に想像線で示したように、円柱状部分６１ａに片面粘着テープ６４などを巻いて、該テープ６４の長さを調整・選択するようにしてもよい。ウキ５０と外側筒状体２５との摩擦系合力は、遠投時にウキ５０が外側筒状体２５から抜けるのを禁止し得る程度には強く、且つ着水時にウキ５０に働く浮力によってウキ５０が外側筒状体２５から速やかに抜け得る程度には弱いように選択される。摩擦係合力を所定の大きさにするためには、嵌合部の径を相互に所定の大きさに選択・設定しておくだけでも、粗面を嵌合面に形成しておいても、嵌合部の材料の弾性が所定になるように選択しておいても、これらの組み合わせでもよい。
【００４４】
なお、着水時にウキ５０に速やかに浮力を与え得るように、図２において、想像線６５で示したように、着水時にウキ５０の端面５２に水圧（水）を導入する孔を外側筒状体２５の基端部２５ｂに周方向に間隔をおいて複数個設けると共に孔６５の最奥部が一つの環状室につながるように端面４６に該室を形成する環状凹部６６を形成しておいてもよい。ここで、孔６５は、遠投時に空気の動圧を受けることがないように径方向内側ほど先端側に位置するように傾斜している。この例からわかるように、外側筒状体２５のウキ側端面４６とウキ５０の仕掛け側端面５２とは相補的形状でなくてもよい。
【００４５】
釣り具１０は、図１に模式的に示したように、サオ９０に取付けられたリール９１に巻かれた道糸８０の先端側に取付けられている。基端がリール９１に固定された道糸８０は、ヨリモドシ８２及び天びん８４を介して、ハリス８６及びハリ８８からなる仕掛け部８９に接続されている。仕掛け部８９の構造や道糸８０との接続の仕方は他のどのような形態でもよい。釣り具１０を貫通する道糸８０のうち釣り具１０よりもサオ９０に近い側には、釣り具１０のサオ９０側への移動を規制するウキ止め９２が取付けられ、天びん８４には、釣り具１０の仕掛け部８９側への移動を規制する仕掛け止め９６が取付けられている。ウキ止め９２は、中心の貫通孔に道糸８０が挿通され道糸８０に沿ってＥ，Ｇ方向に移動自在なウキドメビーズ９３と、道糸８０に固定されビーズ９３の道糸８０に対するＧ方向移動を固定位置で規制ないし禁止するウキ側ビーズ止め９４とからなる。なお、ビーズ９３のＥ方向移動は、ビーズ９３が補助カバー７９に当たることによって規制・禁止される。ウキ止め９２は、糸８０の釣り具６１に対するＥ方向移動を道糸８０の所定位置で規制・禁止し得る限り、ウキドメビーズ９３及びウキ側ビーズ止め９４の代わりにどのような手段を用いてもよい。仕掛け止め９６は、中心の貫通孔に天びん８４の軸部８５が挿通され該軸部８５に沿ってＥ，Ｇ方向に移動自在なビーズ９７と、軸部９５に固定されビーズ９７の軸部９５に対するＥ方向移動を固定位置で規制ないし禁止するビーズ止め９８とからなる。なお、ビーズ９７のＧ方向移動は、ビーズ９７が錘２６の孔２７の周壁（例えば図３，４の（ｂ）参照）に当たることによって規制・禁止される。仕掛け側戻し止め９６は、天びん８５及び仕掛け部８９の釣り具６１に対するＧ方向移動を天びん８４の所定位置で規制・禁止し得る限り、ビーズ９７及び仕掛け側ビーズ止め９８の代わりにどのような手段を用いてもよい。なお、仕掛け止め９６は、天びん８４及びヨリモドシ８２よりもサオ側の道糸８０の部分（例えば部位８０ａ）に形成されていてもよい。
【００４６】
以上のように構成された本発明の好ましい一実施例の釣り具１０を用いて、釣りをする場合、図５の（ａ）に示したように、外側筒状体２５を開位置Ｆにしてコマセ籠本体２１のコマセ充填用開口２９ａを開いておき、アミコマセのようなコマセＫを該開口部２９ａからコマセ籠本体２１内のコマセ収容室３２に所望量だけ入れる。ハリ８８には、所望に応じて、例えば、バイオと呼ばれる小さなソーセージ状のもの又はイソメのような比較的硬いエサをつける。
【００４７】
次に、外側筒状体２５をコマセ籠本体部２１に対してＥ方向に移動させて、図５の（ｂ）に示したように、外側筒状体２５の先端側外筒部３６がコマセ籠本体部２１の開口２９を覆う閉鎖位置Ｄにする。
【００４８】
次に、仕掛け部８９及びウキ５０をコマセＫと共にポイントに投げるべく、サオ９０を手に持ち必要に応じてリール９１で道糸８０の繰出し長を調整して道糸８０を所望の短かい長さにし、仕掛け部８９を地面から持ち上げる。これによって、コマセ籠２０は、図５の（ｂ）に想像線で示したように、錘２３の開口部２７の下側開口部２７ａの周壁がビーズ９７に当たりビーズ９７がビーズ止め９８に当たるまで道糸８０及び天びん８４の軸部８５に沿ってＥ方向に落ちる。換言すれば、ビーズ止め９８で支持されたビーズ９７がコマセ籠２０の錘２３の孔２７の周壁に当たるまで、道糸８０は仕掛け部８９と共に、コマセ籠２０に対してＧ方向に移動する。これにより、サオ９０の先端の糸ガイド９９から天びん８４までの間の道糸８０がピンと張って垂直に延びるので、中心の円筒状軸体５５に道糸８０が挿通されたウキ５０の軸体５５の下端５５ｂが外側筒状体２５の基端側外筒部３７の湾曲した円錐台状凹面４６に沿って外筒部３７の中心のパイプ部４２の端面４２ａのところの開口からパイプ部４２内に、緊張状態の道糸８０によって案内されて、挿入されるように落ち込む。挿入を容易に行わせるために、所望ならば、サオ９０の先端を僅かに上下に振ってもよい。その結果、コマセ籠２０とウキ５０とは、図３に想像線で示したように、仕掛側戻し止め９６で支持された一体化物１００の形態を採る。この状態で、ウキ５０とコマセ籠２０とは、両者の嵌合軸部５５，４２間で摩擦係合していると共に、ウキ本体５４の下部の円筒状部６１ａと環状体部４７との嵌合部で摩擦係合している。
【００４９】
次に、サオ９０を振って仕掛け部８９をコマセ籠２０とウキ５０との一体化物１００を、ポイントまで投げる。この距離は、場合によるが、数１０ｍから１００ｍ程度、ときには１００ｍ以上に達し得る。
【００５０】
サオ９０を振るとき、サオ９０の先端から垂れた道糸８０の先にあるコマセ籠２０は激しく振られる。アミコマセのようなコマセＫは、多かれ少なかれ水分を相当含むので、コマセ籠本体２１の開口２９が開いていると、該開口２９から水分と共にコマセＫの一部が飛び散る虞があるけれども、この釣り具１０では、開口部２９が外側筒状体２５の先端側外筒部（コマセ籠本体カバー）３６で閉じられており、コマセ籠２０の錘２３の下端開口２７もビーズ９７で閉じられているから、コマセＫが飛び散る虞が少ない。
【００５１】
投げられると、コマセ籠２０とウキ５０との一体化物１００は、その重量分布及び形態、並びに道糸８０との接続の仕方の故に、図３の下端に位置する錘２３を先頭にする状態を確実に採り、且つ該状態でロケットのようにＥ方向（この段階ではＥ方向はほぼ水平な方向）に飛んでいく。このとき、外側筒状体２５にかかるＧ方向の空気抵抗はコマセ籠本体部２１の環状体３５で最小限に抑えられ、ウキ５０にかかるＧ方向の空気抵抗は外側筒状体２５の基端側外筒部３７によって最小限に抑えられる。なお、図３などでは、環状体３５，４４などの先端側端面が軸線Ｂの方向に垂直になっているけれども、所望に応じて、空気抵抗を最小限にするように面取りされたり、丸みが付けられる。従って、ウキ５０とコマセ籠２０との間の摩擦係合、即ち両者の嵌合軸部５５，４２間での摩擦係合、及びウキ本体５４と環状体部４７との嵌合部で摩擦係合を比較的小さくしておいても、コマセ籠２０とウキ５０とが分離する虞が少ない。また、この飛翔の間、外側筒状体２５の基端側外筒部３７の端面４５はコマセ収容室３２の蓋として働き、室３２内のコマセＫの不測のＧ方向移動を規制し得る。
【００５２】
ポイントに着水すると、コマセ籠２０とウキ５０との一体化物１００は、図３において、錘２３が下端に位置するように、想像線Ｌで示した水面に対して鉛直な姿勢を採る。また、着水により、道糸８０に弛みが生じ、且つ室３２内のコマセＫが室３２の底部に寄るので、ビーズ９７による開口２７の閉塞が解除される。
【００５３】
更に、着水すると、下端の錘２３の開口２７から室３２を通って海水が上方に侵入する。この海水はパイプ４２を通ってウキ５０の本体部５４の円錐台状面５２に達する。この時海水の通路にあった空気は、ウキ５０の中心の中空軸体５５内の糸挿通路及びウキ本体部５４と基端側外筒部３７の嵌合部の間を通って放出される。なお、前述のように、孔６５及び凹部６６が形成されている場合には、海水は、この孔６５及び凹部６６を通ってウキ本体部５４の下面に導入される。ここで、空気の流出を容易にすべく、凹部６６から円錐台状受面４６の径方向外縁まで放射状に延びる溝部６６ａを複数個形成しておくと共に、該溝部６６ａにつながった軸線方向溝部６６ｂを環状体４４の内周面４７に形成しておいてもよい。
【００５４】
海水がウキ５０の下面５２及び外筒部２５の基端側筒状体４５の下面４５に達し当該部分に水圧がかかるようになると、ウキ５０及び外側筒状体２５に浮力が働くようになる。コマセ籠本体２１と外側筒状部２５の先端側外筒部３６との嵌合部分にはコマセＫを室３２に入れるときコマセＫが部分的に付着することになり且つ水分と共に開口２９から出て嵌合部の隙間にコマセＫの粒が入るから、コマセ籠本体２１と外側筒状部２５との摩擦係合力は比較的大きい。その結果、通常は、ウキ５０に働く浮力によって、ウキ５０がコマセ籠２０に対してＧ方向に分離される。換言すれば、基端側外筒部３７の上端面４６に水圧がかかる状態になると、コマセ籠２０が海水よりも大きい平均密度の故に、ウキ５０に対してＥ方向に沈んでいくと共にウキ５０は一体物１００よりも嵩密度がはるかに小さいから該ウキ５０が受ける浮力でＧ方向により浮いた状態を採る。なお、一体物１００が着水直後にその慣性で水面Ｌより下に潜った場合、一体物１００が水面に浮上する過程で上記分離が少なくとも部分的に又は完全に生起することもある。分離後も続くコマセ籠２０の沈降は、ウキ止め９２にウキ５０の上端の補助カバー７９が係止され仕掛け止め９６にコマセ籠２０の下端の錘２３が係止されると停止される。
【００５５】
コマセ籠２０が沈降する際、又はコマセ籠２０がＧ方向に下端係止位置まで沈降した後、外側筒状体２５に働く浮力によって、外側筒状体２５がコマセ籠本体２１に対してＧ方向に相対移動されて、コマセ籠本体２１のコマセ放出用開口２９が開かれ、コマセＫの開口部２９からの放出（抜けないし溶出）が始まる。この場合、コマセＫの放出が始まるのは、コマセ籠２０が所定の深さに近づいたとき又は達した後になるから、コマセＫがタナに近いところで効果的に放出され得る。
【００５６】
このようにして、図４（ａ）及び（ｂ）に示したような釣りの準備が完了した状態になり釣りが行われる。ウキ５０は、本体５４の下部に軸体５５の下側部分５５ａが突出し下端側に断面流線形のほぼ円錐状の端面５２を備えたウキ本来の形態を備えているから、仕掛け部８９から天びん８４、道糸８０及びウキ止め９２を介してウキ５０にかかるＥ方向の力に応じてＥ方向に引き込まれる感度が高いままに保たれ得る。また、この釣り具１０では、糸８０がコマセ籠２０を貫通しているので、仕掛け部８９にかかるＥ方向の引きに対しては、コマセ籠２０の質量や該籠２０の形状に依存する水の抵抗は実際上ほとんど関与しない。したがって、Ｅ方向の引きに対してウキ５０が高感度に応答し得る。
【００５７】
道糸８０を巻き上げる場合、コマセ籠２０及びウキ５０が仕掛け部８９と共にＧ方向にサオ９０の方へ引かれる。仕掛け部８９を水面から引き上げるとき、前述の場合と同様に、ウキ５０が外側筒状体２５の基端側外筒部３７に嵌まる。また、コマセ籠本体２１から海水が放出されるにつれて外側筒状体２５がコマセ籠本体部２１に対して閉鎖位置Ｄに戻る。
【００５８】
なお、例えば、エサとしてオキアミのような軟らかいものを用い遠投時にエサが風（空気抵抗）で飛ばされる虞があるような場合、図６の（ａ）及び（ｂ）に示したように、コマセ籠本体２１の円筒状部３０に凹部３０ｒを形成しておいて、該凹部３０ｒに、エサを付けたハリ８８を入れると共に、先端側外筒部３６の先端部（下端部）に切欠き３６ｃを設けて該切欠３６ｃを介してハリス８６を引き出し、更に、環状体３５の例えば全長に亙って溝３５ｇを設けてハリス８６を該溝３５ｇに沿ってハリス８６の基端側を下方の天びん８４のところに導き得るようにしておいてもよい。なお、錘２３の形状等は、図１から５に示したようなものでも、図６の（ａ）及び（ｂ）に示したように、錘２３が単純な円錐台状で、その孔２７が円錐台の中心軸線に沿って延びた円柱状ないし円筒状の孔（径一定）であってもよい。
【００５９】
この場合、コマセ籠２０がポイントまで投げられて着水するまでは、エサはハリ８８と共に凹部３６ｒ内で先端側外筒部３６に覆われて保持され、着水後外側筒状体２５がコマセ籠本体２１に対してＧ方向に移動して開口部２９が開かれる際エサと共に水中に出る。
【００６０】
また、図６の（ａ）及び（ｂ）に示したように、比較的大きい径方向孔６５ａを複数個基端側外筒部３７の環状体４４を貫通し、且つ厚肉円筒状体４０の円錐台状端面４６を貫通するように明けておいてもよい。
【００６１】
この場合、糸を巻き上げる際、コマセ籠２０の外筒部３７の室４８を形成する凹状壁部にＥ方向に当たって抵抗となる水が孔６５ａを介して流出し得るから、巻上げに対する抵抗を小さくし得る。なお、この孔６５ａの代わりに、前述の孔６５を大きくしてもよい。また、前述の孔６５の代わりに比較的大径の径方向孔６５ａを設けておいてもよい。更に、この孔６５ａは、外筒部３７の基端面に近いところ（厚肉筒状体４０のないところ）で、環状体４４のみに設けておいてもよい。
【００６２】
また、図６の（ａ）及び（ｂ）において、符号５４ｃ，４０ｃで示したように、硬質のプラスチック材料層を夫々の円錐台状端面５２，４６に設けておいて、十分な浮力を与えるべく発泡プラスチック材料のような比較的弱い材料からなり力を受け易いウキ本体５４の端面５２や基端側筒状部３７の端面４６を保護するようにしておいてもよい。
【００６３】
更に、図６の（ａ）及び（ｂ）に示したように、補助カバー７９のサオ側端部を尖らせてもよい。補助カバー７９の先端尖り部は、道糸８０を巻取る際ゴミが補助カバー７９やウキ５０の部分などに引っ掛かる虞を最小限にし得る。なお、尖った先端は、図６の例では、道糸８０の案内部の側に位置しているけれども、その代わりに、棒状発光体５７の側に位置していても、両者の中間のところが尖っていてもよい。
【図面の簡単な説明】
【図１】本発明による好ましい一実施例の釣り具の展開（分解）斜視説明図。
【図２】図１の釣り具の展開（分解）断面説明図。
【図３】図１の釣り具を一体化した状態（遠投時）の断面説明図。
【図４】図１の釣り具を用いて釣りをしている状態を説明するもので、（ａ）は断面図、（ｂ）は正面図である。
【図５】図１の釣り具を用いてコマセを詰める際の断面説明図で、（ａ）はコマセを入れるときの状態（開放状態）、（ｂ）はコマセを入れた後蓋をした状態（閉鎖状態）を示す。
【図６】図１の釣り具の変形例について、図５と同様な状態で示したもので、（ａ）はコマセを入れるときの状態（開放状態）、（ｂ）はコマセを入れた後蓋をした状態（閉鎖状態）を示す。
【符号の説明】
１０  釣り具
２０  コマセ籠
２１  コマセ籠本体
２２，２４  端部
２３  錘
２５  外側筒状体
２７  貫通孔
２８  周壁部
２９  コマセ放出用開口部
２９ａ  コマセ充填・取出用開口部
３０  円筒状体（円筒状部）
３０ｒ  凹部
３１，３８  突起部（突出部）
３２  コマセ収容室
３４  長孔
３５  環状体
３５ｇ  溝
３６  先端側外筒部（コマセ籠本体カバー）
３６ｃ  切欠部
３７  基端側外筒部
３９  係合用切欠部
４０  厚肉筒状体
４２  パイプ（比較的細い筒状体）
４３，４４  環状体
４６  円錐台状端面
５０  ウキ
５１  仕掛け側端部
５２  円錐台状端面
５３  貫通孔
５４  ウキ本体部
５５  円筒状軸体（パイプ）
５５ａ  下側軸部
５６  サオ側端部
５７  棒状発光体（ケミホタル）
５８  可撓性チューブ
５９  突起部
６０  案内孔
６１  円筒状部分
６１ａ  下側（下端側）部分
６３，６４  粘着テープ
６５，６５ａ  孔
６６  凹部
６６ａ，６６ｂ  溝
７９  補助カバー
８０  道糸（ミチイト）
８２  ヨリモドシ
８４  天びん
８６  ハリス
８８  ハリ
８９  仕掛け部
９２  ウキ止め
９３，９７  ビーズ
９４  ウキ側ビーズ止め
９６  仕掛け止め
９８  仕掛け側ビーズ止め
１００  一体物
Ｂ  軸線
Ｄ  閉鎖位置
Ｅ，Ｇ  方向
Ｆ  開放位置
Ｋ  コマセ
【図１】
0004303819.tif 000002
【図２】
0004303819.tif 000003
【図３】
0004303819.tif 000004
【図４】
0004303819.tif 000005
【図５】
0004303819.tif 000006
【図６】
0004303819.tif 000007